(57)【要約】【課題】取出しが容易で内容量を確認しやすく、かつ、家庭用薄葉紙の香りを長持ちさせることができる家庭用薄葉紙収納箱を提供する。【解決手段】上面部２、底面部３、一対の側面部４及び一対の妻面部５により区画された箱体１００により構成され、当該箱体１００の内部空間に家庭用薄葉紙Ｔを幅方向に二つ折りした状態で収納して上面部２に設けられたスリット６ａから当該家庭用薄葉紙Ｔを取出し可能な家庭用薄葉紙収納箱１において、上面部２を、内部空間内を視認なフィルム体６により構成し、フィルム体６には、香料が含有されていることを特徴とする。【選択図】図１
2015067311.tif 000002
【特許請求の範囲】
【請求項１】
上面部、底面部、一対の側面部及び一対の妻面部により区画された箱体により構成され、当該箱体の内部空間に家庭用薄葉紙を幅方向に二つ折りした状態で収納して前記上面部に設けられたスリットから当該家庭用薄葉紙を取出し可能な家庭用薄葉紙収納箱において、
前記上面部を、前記内部空間内を視認なフィルム体により構成し、
前記フィルム体には、香料が含有されていることを特徴とする家庭用薄葉紙収納箱。
【請求項２】
前記フィルム体は、前記香料を含有する層を高気密性層と低気密性層とで挟み込んだ構造であることを特徴とする請求項１に記載の家庭用薄葉紙収納箱。
【請求項３】
前記低気密性層を内部空間側にした構造であることを特徴とする請求項２に記載の家庭用薄葉紙収納箱。
【請求項４】
前記フィルム体は、前記一対の側面部及び一対の妻面部の上端から各々立設する立設部を備えることを特徴とする請求項１〜３のいずれか一項に記載の家庭用薄葉紙収納箱。
【請求項５】
前記フィルム体を覆う開閉自在な蓋部を有することを特徴とする請求項１〜４のいずれか一項に記載の家庭用薄葉紙収納箱。
【発明の詳細な説明】
【技術分野】
【０００１】
本発明は、家庭用薄葉紙収納箱に関する。
【背景技術】
【０００２】
積層されたティシューペーパー等の家庭用薄葉紙を幅方向に二つ折りした状態で内部に収納し、上面部に設けられた開口部から収納された家庭用薄葉紙を取出して使用する家庭用薄葉紙収納箱が知られている（例えば、特許文献１参照）。
また、家庭用薄葉紙収納箱の内面のうち、長手方向の片側端面における内面中央に、フィルムに芳香剤液を吸収保持した不織布を積層した構造の芳香剤除放シートを貼り付けることにより、収納された家庭用薄葉紙に対して香りを付けることが知られている（例えば、特許文献２参照）。
このため、特許文献１に記載された家庭用薄葉紙収納箱において、開口部に内側から貼着されたフィルムに香料を含有させ、当該フィルムから収納された家庭用薄葉紙に対して香り放散させることにより、収納された家庭用薄葉紙に対して香りを付けることが可能になる。
【先行技術文献】
【特許文献】
【０００３】
【特許文献１】特開２００４−２１７２９６号公報
【特許文献２】特開２００７−２５４００５号公報
【発明の概要】
【発明が解決しようとする課題】
【０００４】
しかしながら、家庭用薄葉紙を幅方向に二つ折りした状態で内部に収納する構造の家庭用薄葉紙収納箱では、家庭用薄葉紙収納箱の形状が略立方体になり、家庭用薄葉紙収納箱の上面部に形成される取出し口のスリットも短くなり、当該上面部の内側に設けられるフィルムの面積も小さくなってしまう。
当該フィルム面積が小さいとフィルムに含有される香料の量も少なくなり、スリット断面及びフィルム表面から放散される香りが弱く、持続性も低下するため、家庭用薄葉紙を使用していくうちに、家庭用薄葉紙の香りが弱くなってしまうという問題があった。
また、家庭用薄葉紙を幅方向に二つ折りした状態で内部に収納する構造の場合、家庭用薄葉紙を幅方向に二つ折りしない状態で内部に収納する構造のものに比べて、家庭用薄葉紙収納箱の上面部の面積が小さく、且つ取出し口の面積も小さくなるため、家庭用薄葉紙の取出し方向は、上方に限定されてしまう。例えば、斜め上方や横方向に家庭用薄葉紙を引っ張った場合には、家庭用薄葉紙収納箱が倒れてしまう。
さらに、上記した取出し口の面積が小さくなることにより、収納されている家庭用薄葉紙の残量（内容量）を確認することが困難であった。
【０００５】
本発明の課題は、取出しが容易で内容量を確認しやすく、かつ、家庭用薄葉紙の香りを長持ちさせることができる家庭用薄葉紙収納箱を提供することにある。
【課題を解決するための手段】
【０００６】
前記課題を解決するために、請求項１記載の発明は、
上面部、底面部、一対の側面部及び一対の妻面部により区画された箱体により構成され、当該箱体の内部空間に家庭用薄葉紙を幅方向に二つ折りした状態で収納して前記上面部に設けられたスリットから当該家庭用薄葉紙を取出し可能な家庭用薄葉紙収納箱において、
前記上面部を、前記内部空間内を視認なフィルム体により構成し、
前記フィルム体には、香料が含有されていることを特徴とする。
【０００７】
請求項２記載の発明は、請求項１に記載の家庭用薄葉紙収納箱において、前記フィルム体は、前記香料を含有する層を高気密性層と低気密性層とで挟み込んだ構造であることを特徴とする。
【０００８】
請求項３記載の発明は、請求項２に記載の家庭用薄葉紙収納箱において、前記低気密性層を内部空間側にした構造であることを特徴とする。
【０００９】
請求項４記載の発明は、請求項１〜３のいずれか一項に記載の家庭用薄葉紙収納箱において、前記フィルム体は、前記一対の側面部及び一対の妻面部の上端から各々立設する立設部を備えることを特徴とする。
【００１０】
請求項５記載の発明は、請求項１〜４のいずれか一項に記載の家庭用薄葉紙収納箱において、前記フィルム体を覆う開閉自在な蓋部を有することを特徴とする。
【発明の効果】
【００１１】
請求項１記載の発明によれば、香料を含有するフィルム体により、ティシューカートンの上面部を構成することにより、取出しが容易で内容量を確認しやすく、かつ、家庭用薄葉紙の香りを長持ちさせることができる。
請求項２記載の発明によれば、フィルム体を香料を含有する層を高気密性層と低気密性層とで挟み込んだ構造にすることにより、香りの放散方向を制御することができる。
請求項３記載の発明によれば、低気密性層を内部空間側にしたことにより、家庭用薄葉紙収納箱内部に香りを放散させることができる。
請求項４記載の発明によれば、フィルム体に、一対の側面部及び一対の妻面部の上端から各々立設する立設部を備えることにより、フィルム体の面積をより広くすることができ、取出しが容易で内容量を確認しやすく、かつ、家庭用薄葉紙の香りを長持ちさせることができる。
請求項５記載の発明によれば、フィルム体を覆う開閉自在な蓋部を有することにより、キャノピー型のフィルム体の変形等を防止することができる。
【図面の簡単な説明】
【００１２】
【図１】本実施形態に係るティシューカートンの一例を示す斜視図である。
【図２】ティシューカートンの箱体を展開した裏面の展開図である。
【図３】本実施形態に係るティシューカートンの一例を示す分解斜視図である。
【図４】本実施形態に係るティシューカートンの組み立て後の一例を示す斜視図である。
【図５】ティシューカートンの上面部の裏面に貼着されたフィルムの構造を示す断面図である。
【発明を実施するための形態】
【００１３】
以下、図面を参照しつつ、本発明の実施形態である家庭用薄葉紙収納箱を詳細に説明する。但し、発明の範囲は、図示例に限定されない。
【００１４】
（実施形態）
本実施形態に係る家庭用薄葉紙収納箱であるティシューカートン１は、図１〜図４に示すように、上面部２、底面部３、一対の側面部４、４、及び一対の妻面部５、５により区画された箱体１００と、上面部２を覆う蓋部７と、により構成されている。このティシューカートン１は、図２に示す紙基材であるカートンブランク１ａとフィルム体６を折り曲げることにより形成されるものである。このティシューカートン１の内部空間には、積層された家庭用薄葉紙を幅方向に二つ折りした状態のティシューペーパーＴが収納されている。
【００１５】
ここで、「箱体」とは、ティシューペーパーＴを収納し得る内部空間が形成される形状のものであり、例えば、直方体状、立方体状等の六面体状のものを挙げることができる。例えば、図１は、ティシューカートン１を略立方体状に構成した例である。
図１に示すティシューカートン１では、上面部２と底面部３、一対の側面部４、４及び一対の妻面部５、５がそれぞれ対向するように平行に配置される。なお、これらの形状において、二つの面の稜線部分を面取りしたもの等も「箱体」に含まれるものとする。箱体に使用するコートボール紙は、坪量３００〜４５０ｇ／ｍ２のものが一般的に使用できる。
このティシューペーパーＴは、マルチスタンド式、ロータリー式の既知のインターフォルダにより製造されたポップアップ式に折り畳まれた形態でも良く、あるいは、Ｃ折り、Ｚ折り等の折り畳みされた、単にシートが積層されただけのティシューペーパーでも良い。
他方、ティシューペーパーＴを構成するティシューペーパー（以下、単に、ティシューペーパーと呼ぶ。）は、２枚〜３枚の薄葉紙が積層されたプライ構造を有している。
その薄葉紙の原料パルプとしては、ＮＢＫＰとＬＢＫＰとを配合したものであり、適宜古紙パルプが配合されていてもよいが、風合いなどの点で、ＮＢＫＰとＬＢＫＰのみから構成されているのがよい。その場合配合割合としては、ＮＢＫＰ：ＬＢＫＰ＝２０：８０〜８０：２０がよく、特に、ＮＢＫＰ：ＬＢＫＰ＝３０：７０〜６０：４０が望ましい。
本発明に係るティシューペーパーの各プライを構成する薄葉紙１枚あたりの米坪は、好ましくは９〜２５ｇ／ｍ２、より好ましくは１０〜１５ｇ／ｍ２である。米坪が９ｇ／ｍ２未満では、柔らかさの向上の観点からは好ましいものの、使用に耐えうる十分な強度を適正に確保することが困難となる。逆に米坪が２５ｇ／ｍ２を超えると紙全体が硬くなるとともに、ゴワ付き感が生じてしまい肌触りが悪くなる。なお、米坪は、ＪＩＳ Ｐ ８１２４（１９９８）の米坪測定方法による。
他方、本発明に係るティシューペーパーの紙厚は、積層された状態で１００〜１６０μｍ、より好ましくは１２０〜１４０μｍであるのが望ましい。紙厚が１００μｍ未満では、柔らかさの向上の観点からは好ましいものの、ティシューペーパーとしての強度を適正に確保することが困難となる。また、１６０μｍ超では、ティシューペーパーの肌触りが悪化するとともに、使用時にゴワツキ感が生じるようになる。
【００１６】
上面部２は、図１に示すように、フィルム体６により構成され、底面部３、一対の側面部４、４、及び一対の妻面部５、５は、カートンブランク１ａにより構成されている。
フィルム体６は、樹脂製の多層香り付きのフィルムにより構成されている。フィルム体６は、一対の側面部４、４に形成された接着部Ｇ１及び一対の妻面部５、５を構成する上面側フラップ５ｂ、５ｂに形成された接着部Ｇ２により、スリット６ａが上面部２に臨むように一対の側面部４、４及び一対の妻面部５、５に対して貼着される。
また、フィルム体６は、一対の側面部４、４及び一対の妻面部５、５から立設して上面部２と繋がる立設部６ｂを有する。これにより、フィルム体６は、キャノピー型のように立体的な形態を有するようになる。
本発明に係るフィルムシートの素材は、紙箱との分別が必要となるものであり、樹脂製或いは樹脂を含むシートである。具体例は、ポリエチレン、ポリプロピレン、ポリエステル等の樹脂からなる樹脂性フィルムシート、又はこれらを積層した積層の樹脂性フィルムシート、フィルムシートと紙等を積層したラミネートフィルムシート、樹脂製繊維からなる合成紙シート等である。取出し性を考慮すると樹脂製フィルムシートが好ましく、特にポリエチレンフィルムシートが好ましい。
フィルムシートの厚みは、１５〜２００μｍが好適である。１５μｍ未満では、強度的に不足し、衛生薄葉紙の取出し時においてフィルムシートの裂けあるいは破断の確率が高くなる。逆に、２００μｍを超えると、フィルムシートが裂ける等の強度の問題はないものの、衛生薄葉紙取出し時のひっかかりが大きくなり、薄葉紙が取出しにくくなったり破れたりする可能性がある。またコスト高ともなる。取出し性や保持性を考慮すると、より好ましくは２５〜６０μｍが好適である。
紙厚、シート材、フィルム層に用いるフィルム厚みの測定方法としては、試験片をＪＩＳ Ｐ ８１１１（１９９８）の条件下で十分に調湿した後、同条件下でダイヤルシックネスゲージ（厚み測定器）「ＰＥＡＣＯＣＫ Ｇ型」（尾崎製作所製）を用いて紙厚は２プライの状態で測定し、フィルム厚みは単層の状態で測定し、シート材はシート材の状態で測定するものとする。具体的には、プランジャーと測定台の間にゴミ、チリ等がないことを確認してプランジャーを測定台の上におろし、前記ダイヤルシックネスゲージのメモリを移動させてゼロ点を合わせ、次いで、プランジャーを上げて試料を試験台の上におき、プランジャーをゆっくりと下ろしそのときのゲージを読み取る。このとき、プランジャーをのせるだけとする。プランジャーの端子は金属製で直径１０ｍｍの円形の平面が紙平面に対し垂直に当たるようにし、この厚みの測定時の荷重は、１２０μｍの際に約７０ｇｆである。なお、紙厚、シート材、フィルム層に用いるフィルム厚みは測定を１０回行って得られる平均値とする。
また、カートンブランク１ａの一対の側面部４、４及び一対の妻面部５、５を構成する上面側フラップ５ｂ、５ｂには、ミシン目ＳＰがそれぞれに設けられており、組み立て後に、当該ミシン目ＳＰを切ることにより蓋部７を形成する。
【００１７】
次に、本実施形態に係るティシューカートン１の組立方法について説明する。
カートンブランク１ａは、上面部２、底面部３及び側面部４、４をそれぞれ折曲するとともに、糊代部３ａを折曲して底面部３と連接していない側の側面部４の裏面の長手端縁に糊付けして底面部３と側面部４とを連結することにより、筒状の内部空間が形成される。同時に、フィルム体６は、側面部４、４の折曲部分で折曲され、上面部２と、側面部４、４から立設する立設部６ｂが形成される。これにより、上面部２、底面部３、及び一対の側面部４、４は、箱体１００を構成する。
次いで、例えば、図３に示すように、積層された家庭用薄葉紙を幅方向に二つ折りした状態のティシューペーパーＴを筒状の内部空間に収納する。
【００１８】
最後に、側面側フラップ５ｃを、対向配置される側面側フラップ５ｃの端部が対向するように、それぞれ内側に折曲し、次に、底面側フラップ５ａを折曲して、側面側フラップ５ｃの外面側に設けられた接着部によって側面側フラップ５ｃに貼着する。そして、上面側フラップ５ｂの裏面（内側面）端部が底面側フラップ５ａの外面端部に重畳するように、上面側フラップ５ｂを折曲し、底面側フラップ５ａに対して取り付ける。ここで、上面側フラップ５ｂの裏面端部の所定部位には接着部が設けられており、上面側フラップ５ｂが底面側フラップ５ａに対して貼着される。このようにして、上面側フラップ５ｂ、底面側フラップ５ａ及び一対の側面側フラップ５ｃを重畳するように取り付けることにより、妻面部５を形成して、内部空間を封緘する。この時、フィルム体６は、上面側フラップ５ｂの折曲部分で折曲され、上面側フラップ５ｂから立設する立設部６ｂが形成される。
【００１９】
本実施形態に係るティシューカートン１は、工場出荷時には、積層された家庭用薄葉紙を幅方向に二つ折りした状態のティシューペーパーＴを内部空間に収納し、各フラップを貼着して妻面部５を形成して内部空間を封緘することにより、側面部の強度を高め、ティシューカートン１の輸送や店頭での陳列時において、外部からの力によってティシューペーパーＴがティシューカートン１より脱出することを防止している。
【００２０】
また、フィルム体６は、図４に示すように、香料と接着剤を混合した中間層８を高気密性樹脂から構成される高気密性層９と低気密性樹脂から構成される低気密性層１０とで挟み込んだ三層構造である。具体的には、高気密性層９と低気密性層１０とが、香料と接着剤を混合した中間層８によって接着されて一体化され、低気密性層１０側がティシューカートン１の内部側となるように貼着される。
フィルム体６を図４に示すような三層構造にすることにより、低気密性層１０からの香料の浸透度が、高気密性層９の浸透度よりも高いので、中間層８に含有されている香料が低気密性層１０を透過して、ティシューカートン１の内部に向かって放散され、内部に収納されたティシューペーパーＴに香りが行き渡ることになる。また、逆に、高気密性層９から外部へ香料が放散されにくくなる。
また、スリット６ａの断面には香料を含有した中間層８が露出するため、スリット６ａを通して引き出されるティシューペーパーＴがわずかに中間層８と接触する機会があり、その際に確実にティシューペーパーＴに香料が付着されるようにもなる。
【００２１】
例えば、高気密性層９としてはＰＥＴ（Polyethylene terephthalate）樹脂を用いることが好ましく、フィルム厚としては、ティシューペーパーＴの取出し性を向上させるため５μｍ〜１５μｍが好適である。
また、低気密性層１０としてはＰＥ（polyethylene）樹脂を用いることが好ましく、フィルム厚としては、ティシューペーパーＴに対して香料の放散を向上させるため２５μｍ〜４５μｍが好適である。
さらに、高気密性層９と低気密性層１０とで挟み込まれる中間層８は、厚みが２０μｍ〜４０μｍが好適である。また、接着剤としてはアクリル系接着剤を用い、中間層８の香料の配合率は０．５ｇ／ｍ２〜１５ｇ／ｍ２が好適である。
【００２２】
このため、三層構造のフィルム体６は、厚さが５０μｍ〜１００μｍとなり、従来の香り付きフィルムの厚さ３０μｍ〜４０μｍに対して、２倍程度の厚さになっている。但し、フィルム体６の材質として、上記例示をしたが、勿論、これらに限定されない。また、高気密性層９及び低気密性層１０は、図４に示すように三層構造に限定されるものではなく、単層構造であっても、積層構造であってもよい。
また、フィルム体６は、厚さが５０μｍ〜１００μｍとなり、従来の香り付きフィルムの厚さ３０μｍ〜４０μｍに対して、２倍程度の厚さになっているため、上面部２、一対の側面部４、４及び一対の妻面部５、５であって上面部２に連接する一部を構成するために十分な剛性を有している。このため、フィルム体６が、後述するキャノピー型の立体形状を維持できる十分な強度を有している。
【００２３】
また、使用する香料は、特に限定されるものではないが、具体例として、リュウゼン香、安息香、海狸香、霊猫香、丁字油、ガルバナム、ジャスミンアブソリュート、ラブタナム、マテ茶、メリロット、ミモザ、ムスクトンキン、ミルラ、オークモスまたはモスドシェーヌ、乳香、ビャクシ香、オリス、バチュリ、ローズマリー油、白檀油、ベチバー油、バイオレットリーフアブソリュートなどの天然香料、高級アルコール、アルデヒド、ベンズアルデヒド、安息香酸、ケイ皮酸、ケイ皮アルデヒド、ケイ皮アルコール、クマリン、エステル、インドール、ケトン、サリチル酸と関連化合物、テルペノイド、バニリンなどの各種の合成香料あるいはこれらの２つ以上の混合物を挙げることができる。
【００２４】
また、本実施形態に係るティシューカートン１の使用時においては、図１に示すように、一対の側面部４、４及び一対の妻面部５、５に設けられたミシン目ＳＰを切って、上面部２と、一対の側面部４、４及び一対の妻面部５、５であって上面部２に連接する一部を切り取ることにより形成される蓋部７を開けることにより、内部に、上面部２、一対の側面部４、４及び一対の妻面部５、５の上端から各々立設する立設部６ｂを構成するキャノピー型のフィルム体６が現れる。
このような蓋部７は、ティシューカートン１の輸送や店頭での陳列時において、外部からの力によって上面部２、一対の側面部４、４及び一対の妻面部５、５の上端から各々立設する立設部６ｂを構成するキャノピー型のフィルム体６が変形等することを防止できる。
そして、ティシューペーパーＴは、当該キャノピー型のフィルム体６の上部に形成されたスリット６ａを通して外部に取出されることとなる。
【００２５】
以上のように、本発明の実施形態では、香料を含有する三層構造のフィルム体６により、ティシューカートン１の上面部２、一対の側面部４、４及び一対の妻面部５、５の上端から各々立設する立設部６ｂを構成することにより、フィルム体６の面積を大きくすることができるので、フィルム体６に含有される香料の量も多くなり、スリット断面及びフィルム表面から放出される香りが強く、持続性も向上するため、香りを長持ちさせることができる。
また、香料を含有する三層構造のフィルム体６により、ティシューカートン１の上面部２、一対の側面部４、４及び一対の妻面部５、５の上端から各々立設する立設部６ｂを構成することにより、従来と比較してスリット６ａの長さ長くすることができ、かつ、フィルム体６はティシューカートン１と比べて柔軟性があり、上方向や横方向に適宜変形するので、上方のみならず、斜め上方や横方向に家庭用薄葉紙を引っ張っても取出し易くなる。
さらに、キャノピー型のフィルム体６の面積が大きく（広く）なり、透明なフィルム体６を介してティシューカートン１の内部を視認することができるので、収納されている家庭用薄葉紙の残量（内容量）を確認することが容易になる。
【００２６】
なお、本発明の実施形態では、上面部２、一対の側面部４、４及び一対の妻面部５、５の上端から各々立設する立設部６ｂを構成するキャノピー型のフィルム体６を例示しているが、フィルム体６は、平面形状であってもよく、立設部６ｂを構成することなく、上面部２部分のみを構成するものであっても構わない。
【００２７】
また、本発明の実施形態では、外部からの力によって上面部２、一対の側面部４、４及び一対の妻面部５、５の上端から各々立設する立設部６ｂを構成するキャノピー型のフィルム体６が変形等を防止するために蓋部７を備えているが、蓋部７を除いた構成であっても、勿論、本発明の課題を解決することができる。
【符号の説明】
【００２８】
Ｔ  ティシューペーパー（家庭用薄葉紙）
１  ティシューカートン（家庭用薄葉紙収納箱）
１ａ  カートンブランク
２  上面部
３  底面部
４  側面部
５  妻面部
５ａ  底面側フラップ
５ｂ  上面側フラップ
５ｃ  側面側フラップ
６  フィルム体
６ａ  スリット
６ｂ  立設部
７  蓋部
８  中間層
９  高気密性層
１０  低気密性層
【図１】
2015067311.tif 000003
【図２】
2015067311.tif 000004
【図３】
2015067311.tif 000005
【図４】
2015067311.tif 000006
【図５】
2015067311.tif 000007